【手続補正書】
【提出日】平成17年10月17日(2005.10.17)
【手続補正１】
【補正対象書類名】明細書
【補正対象項目名】特許請求の範囲
【補正方法】変更
【補正の内容】
【特許請求の範囲】
【請求項１】
遊技球を発射する発射手段と、
発射された遊技球が案内される所定の遊技領域を有する遊技盤と、
前記遊技領域内において設けられ、上下に並設された上入賞部及び下入賞部を具備し、当該各入賞部からそれぞれ遊技球が入賞可能な特定入賞手段と、
前記特定入賞手段への遊技球の入賞に基づき賞球の払出処理を行う払出制御手段と、
前記特定入賞手段への遊技球の入賞に起因する特定発生条件の成立に基づき特定遊技状態を発生させる遊技制御手段とを備え、
前記上入賞部は、常時、入球可能に構成され、
前記下入賞部は、所定入球条件の成立に基づき、遊技球が入賞不能となる閉塞位置と、遊技球が入賞可能となる開放位置との間で、前記遊技盤面と略直交する軸線を軸心として回動変位可能に設けられた左右一対の開閉部材を備えてなる可変入賞部であり、前記所定入球条件が成立していない場合において前記開閉部材の前記開放位置への変位を規制する変位規制手段を備え、前記開閉部材が前記閉塞位置にある場合においては、前記開閉部材の先端部と前記上入賞部との間を遊技球が通過不能となるように、前記先端部が前記上入賞部に当接若しくは略当接又は隣接する位置に位置するように構成され、
前記払出制御手段は、前記上入賞部から遊技球が入賞した場合には、当該上入賞部に対応して設定された所定個数の賞球の払出処理を行い、前記下入賞部から遊技球が入賞した場合には、前記下入賞部に対応して設定された前記上入賞部に対応する個数より多い所定個数の賞球の払出処理を行うことを特徴とする遊技機。
【請求項２】
遊技球を発射する発射手段と、
発射された遊技球が案内される所定の遊技領域を有する遊技盤と、
前記遊技領域内において設けられ、上下に並設された上入賞部及び下入賞部を具備し、当該各入賞部からそれぞれ遊技球が入賞可能な特定入賞手段と、
前記特定入賞手段への遊技球の入賞に基づき賞球の払出処理を行う払出制御手段と、
前記特定入賞手段への遊技球の入賞に起因する特定発生条件の成立に基づき特定遊技状態を発生させる遊技制御手段とを備え、
前記上入賞部は、常時、入球可能に構成され、
前記下入賞部は、
所定の第１位置と第２位置との間で変位可能な駆動部材を有する特定駆動手段と、
前記駆動部材の変位に基づき、遊技球が入賞不能となる閉塞位置と、遊技球が入賞可能となる開放位置との間で、前記遊技盤面と略直交する軸線を軸心として回動変位可能に設けられた左右一対の開閉部材とを備えた可変入賞部であって、
前記駆動部材が前記第１位置にある場合には、前記開閉部材が前記閉塞位置に位置するよう構成され、
前記開閉部材が前記閉塞位置にある場合においては、前記開閉部材の先端部と前記上入賞部との間を遊技球が通過不能となるように、前記先端部が前記上入賞部に当接若しくは略当接又は隣接する位置に位置するように構成され、
所定入球条件の成立に基づき、前記駆動部材が前記第１位置から第２位置へ変位することによって、前記開閉部材が前記閉塞位置から前記開放位置へと回動するように構成され、
前記閉塞位置にある開閉部材に対し、前記開放位置へ変位させる前記特定駆動手段からの応力以外の操作力が加えられた場合には、前記駆動部材が前記第１位置にある状態において変位不能又は変位困難となっている特定部位に、前記開閉部材の一部が係止され、前記開閉部材の回動変位が規制されるよう構成され、
前記払出制御手段は、
前記上入賞部から遊技球が入賞した場合には、当該上入賞部に対応して設定された所定個数の賞球の払出処理を行い、前記下入賞部から遊技球が入賞した場合には、前記下入賞部に対応して設定された前記上入賞部に対応する個数より多い所定個数の賞球の払出処理を行うことを特徴とする遊技機。
【請求項３】
遊技球を発射する発射手段と、
発射された遊技球が案内される所定の遊技領域を有する遊技盤と、
前記遊技領域内において設けられ、上下に並設された上入賞部及び下入賞部を具備し、当該各入賞部からそれぞれ遊技球が入賞可能な特定入賞手段と、
前記特定入賞手段への遊技球の入賞に基づき賞球の払出処理を行う払出制御手段と、
前記特定入賞手段への遊技球の入賞に起因する特定発生条件の成立に基づき特定遊技状態を発生させる遊技制御手段とを備え、
前記上入賞部は、常時、入球可能に構成され、
前記下入賞部は、
所定の第１位置と第２位置との間で直線駆動可能な駆動部材を有する特定駆動手段と、
前記駆動部材と連動する駆動伝達部材と、
前記駆動伝達部材に連動して、遊技球が入賞不能となる閉塞位置と、遊技球が入賞可能となる開放位置との間で、前記遊技盤面と略直交する軸線を軸心として回動変位可能に設けられた左右一対の開閉部材とを備えた可変入賞部であって、
前記開閉部材が前記閉塞位置にある場合においては、前記開閉部材の先端部と前記上入賞部との間を遊技球が通過不能となるように、前記先端部が前記上入賞部に当接若しくは略当接又は隣接する位置に位置するように構成され、
所定入球条件の成立に基づき、前記第１位置から第２位置へと向かう特定駆動方向への前記駆動部材の直線駆動に前記駆動伝達部材が連動し、当該駆動伝達部材に連動して、前記開閉部材が前記閉塞位置から前記開放位置へと回動するように構成され、
前記駆動部材が前記第１位置にある場合には、当該駆動部材によって前記駆動伝達部材の動きが規制され、前記開閉部材が回動不能又は回動困難となるよう構成され、
前記払出制御手段は、
前記上入賞部から遊技球が入賞した場合には、当該上入賞部に対応して設定された所定個数の賞球の払出処理を行い、前記下入賞部から遊技球が入賞した場合には、前記下入賞部に対応して設定された前記上入賞部に対応する個数より多い所定個数の賞球の払出処理を行うことを特徴とする遊技機。
【請求項４】
前記駆動部材が前記第１位置にある場合には、
前記駆動伝達部材のうち前記駆動部材が前記第２位置から前記第１位置へと向かう際に力を加える部位に対し前記駆動部材が当接することで、前記駆動伝達部材の動きが規制されることを特徴とする請求項３に記載の遊技機。
【請求項５】
遊技球を発射する発射手段と、
発射された遊技球が案内される所定の遊技領域を有する遊技盤と、
前記遊技領域内において設けられ、上下に並設された上入賞部及び下入賞部を具備し、当該各入賞部からそれぞれ遊技球が入賞可能な特定入賞手段と、
前記特定入賞手段への遊技球の入賞に基づき賞球の払出処理を行う払出制御手段と、
前記特定入賞手段への遊技球の入賞に起因する特定発生条件の成立に基づき特定遊技状態を発生させる遊技制御手段とを備え、
前記上入賞部は、常時、入球可能に構成され、
前記下入賞部は、
前記遊技盤面と略直交する特定の第１軸線に沿って所定の第１位置と第２位置との間で直線駆動可能な駆動部材を有する特定駆動手段と、
前記第１軸線と略直交する第２軸線を軸心として回動可能に設けられた駆動伝達部材と、
前記駆動伝達部材の回動に連動して、遊技球が入賞不能となる閉塞位置と、遊技球が入賞可能となる開放位置との間で、前記第１軸線と略平行な第３軸線を軸心として回動変位可能に設けられた左右一対の開閉部材とを備えた可変入賞部であって、
前記開閉部材が前記閉塞位置にある場合においては、前記開閉部材の先端部と前記上入賞部との間を遊技球が通過不能となるように、前記先端部が前記上入賞部に当接若しくは略当接又は隣接する位置に位置するように構成され、
所定入球条件の成立に基づき、前記第１位置から第２位置へと向かう特定駆動方向への前記駆動部材の直線駆動に連動して前記駆動伝達部材が回動し、当該駆動伝達部材の回動に連動して、前記開閉部材が前記閉塞位置から前記開放位置へと回動するように構成され、
前記駆動部材が前記第１位置にある場合には、当該駆動部材によって前記駆動伝達部材の回動が規制され、前記開閉部材が回動不能又は回動困難となるよう構成され、
前記払出制御手段は、
前記上入賞部から遊技球が入賞した場合には、当該上入賞部に対応して設定された所定個数の賞球の払出処理を行い、前記下入賞部から遊技球が入賞した場合には、前記下入賞部に対応して設定された前記上入賞部に対応する個数より多い所定個数の賞球の払出処理を行うことを特徴とする遊技機。
【請求項６】
前記駆動部材が前記第１位置にある場合には、
前記駆動伝達部材のうち前記駆動部材が前記第２位置から前記第１位置へと向かう際に力を加える部位に対し前記駆動部材が当接することで、前記駆動伝達部材の特定回動方向への回動が規制されることを特徴とする請求項５に記載の遊技機。
【請求項７】
前記駆動伝達部材は、前記第２軸線と略平行に並設された第１受部と第２受部とを有し、
前記駆動部材は、その変位状態に応じて前記第１受部と第２受部とに当接可能となる掛かり部を有し、
前記駆動部材が前記第１位置にある場合には、前記掛かり部が前記駆動伝達部材の特定回動方向への駆動を規制するように前記第１受部に当接し、
前記駆動部材が前記特定駆動方向へと駆動する際には、前記掛かり部が前記第２受部に掛かることによって、当該第２受部に前記特定回動方向への力が加わり、前記駆動伝達部材が回動するようにしたことを特徴とする請求項５に記載の遊技機。
【請求項８】
前記駆動部材を前記第１位置に付勢する付勢手段を備えたことを特徴とする請求項２乃至７のいずれかに記載の遊技機。